(57)【要約】【課題】ユーザ規定可能かつ設定可能な複数のパラメータを含み、複数の異なった電源をエミュレートするイオン浸透療法電源を提供する。【解決手段】イオン浸透療法電源は、ハードウェアおよびソフトウェアを具える。前記ハードウェアは、イオン浸透療法出力装置とインタフェースする手段と、マイクロプロセッサ手段と、コンピュータ読み出し可能媒体とを含む。前記ソフトウェアを、前記コンピュータ読み出し可能媒体に記録し、前記マイクロプロセッサ手段によって実行可能とする。前記ソフトウェアは、ユーザによる少なくとも１つの動作パラメータの供給を促進するステップと、前記供給された動作パラメータを、インタフェースされたイオン浸透療法装置に用いるステップとを実行することができる。【選択図】　　　　図１
2004000535.tif 000002
【特許請求の範囲】
【請求項１】
イオン浸透療法電源であって、
外部出力装置とインタフェースする手段と、
外部通信装置とインタフェースする手段と、
センサとインタフェースする手段と、
マイクロプロセッサ手段と、
コンピュータ読み出し可能媒体とを具えるハードウェアと、
ユーザによる少なくとも１つの動作パラメータの供給を促進するステップと、前記供給された動作パラメータを、インタフェースされたイオン浸透療法装置に用いるステップとを実行する、前記マイクロプロセッサ手段によって実行可能な、前記コンピュータ読み出し可能媒体に記録されたソフトウェアとを具えるイオン浸透療法電源。
【請求項２】
請求項１に記載のイオン浸透療法電源において、前記外部出力インタフェース手段が、イオン浸透療法装置の対立する電極と関係することができる１対の導線を具えることを特徴とするイオン浸透療法電源。
【請求項３】
請求項１に記載のイオン浸透療法電源において、前記少なくとも１つの動作パラメータが、電圧制限、電流極性、定常状態電流の振幅、ランプアップレート、ランプダウンレート、サイクル数およびシーケンス数から成るグループから選択された少なくとも１つのパラメータを含むことを特徴とするイオン浸透療法電源。
【請求項４】
請求項１に記載のイオン浸透療法電源において、前記ソフトウェアが、前記供給された動作パラメータを外部出力装置に用いるステップ中に集められたデータを記憶するステップをさらに実行することを特徴とするイオン浸透療法電源。
【請求項５】
請求項４に記載のイオン浸透療法電源において、前記ハードウェアが、外部装置と通信する手段をさらに含み、前記ソフトウェアが、前記供給された動作パラメータを外部出力装置に用いるステップ中に集められたデータを伝送するステップをさらに実行することを特徴とするイオン浸透療法電源。
【請求項６】
請求項４に記載のイオン浸透療法電源において、前記ハードウェアが、内部または外部の少なくとも１つのセンサをさらに含み、前記ソフトウェアが、前記供給された動作パラメータを外部出力装置に用いるステップ中に前記センサに属するデータを記憶するステップをさらに実行することを特徴とするイオン浸透療法電源。
【請求項７】
請求項１に記載のイオン浸透療法電源において、前記ハードウェアが、外部装置と通信する手段をさらに含み、前記ユーザによる少なくとも１つの動作パラメータの入力を促進するステップが、少なくとも１つの動作パラメータを外部装置から前記電源へ前記通信手段を経て伝送するステップをさらに含むことを特徴とするイオン浸透療法電源。
【請求項８】
請求項１に記載のイオン浸透療法電源において、前記少なくとも１つの動作パラメータが複数の動作パラメータを含むことを特徴とするイオン浸透療法電源。
【請求項９】
イオン浸透治療電源をエミュレートし、イオン浸透療法装置によるイオン浸透治療を供給する方法において、
少なくとも１つの動作パラメータを前記電源に供給するステップと、
前記供給された動作パラメータを前記外部イオン浸透治療装置に用いるステップとを含むことを特徴とする方法。
【請求項１０】
請求項９に記載の方法において、前記供給するステップが、
電圧制限を供給するステップと、
電流極性を供給するステップと、
定常状態電流の振幅を供給するステップと、
ランプアップレートを供給するステップと、
ランプダウンレートを供給するステップと、
サイクル数を供給するステップと、
シーケンス数を供給するステップとのうち少なくとも１つをさらに含むことを特徴とする方法。
【請求項１１】
請求項９に記載の方法において、前記供給するステップが、
外部装置と通信するステップと、
少なくとも１つの動作パラメータを前記外部装置から受けるステップとをさらに含むことを特徴とする方法。
【請求項１２】
請求項９に記載の方法において、
前記治療に属するデータをユーザに前記電源に関係するディスプレイを経て与えるステップをさらに含むことを特徴とする方法。
【請求項１３】
請求項９に記載の方法において、
前記治療に属するデータを記憶するステップをさらに含むことを特徴とする方法。
【請求項１４】
請求項１３に記載の方法において、
外部装置と通信するステップと、
記憶されたデータを前記外部装置に伝送するステップとをさらに含むことを特徴とする方法。
【請求項１５】
請求項１３に記載の方法において、
少なくとも１つのセンサを前記電源に関係付けるステップと、
前記少なくとも１つのセンサに属するデータを記憶するステップとをさらに含むことを特徴とする方法。
【請求項１６】
請求項１５に記載の方法において、
外部装置と通信するステップと、
前記少なくとも１つのセンサに属する記憶されたデータを前記外部装置に伝送するステップとをさらに含むことを特徴とする方法。
【発明の詳細な説明】
【０００１】
【発明の属する技術分野】
本発明は、一般にイオン浸透療法電源に関し、より特には、ユーザプログラム可能であり、電流、電圧および電力の供給に関係するデータを記録することができるイオン浸透療法電源に関する。
【０００２】
【従来の技術】
イオン浸透療法電源は、当該技術分野において既知である。このような電源は、媒体を横切ってイオンを移動するのに必要な電気的力を供給するのに使用される。一般に、このようなシステムは、一次電極と、リターン電極と、前記一次電極中に配置された薬品コンポーネントとに関する。この技術は、電位が溶液中のイオンをこれらの電荷にしたがって移動させるという原理に基づいている。
【０００３】
基本的に３つの形式のイオン浸透療法電源、すなわち、（１）小型集積イオン浸透療法電源と、（２）携帯用イオン浸透療法電源と、（３）ベンチトップ実験室イオン浸透療法電源とが存在する。これらの電源の各々は、特定のイオン浸透療法電極アセンブリ装置と関連する動作に関して、特定の動作パラメータにおいて構成される。現在、新たな形式のイオン浸透療法電源を設計し、組み立て、試験し、確認するには、研究装置、プロトタイプまたは新たな製品開発に関して、時間と費用の双方がかかる。代表的に、必要な時間は月で測定される。
【０００４】
【発明が解決しようとする課題】
このように、本発明の目的は、ユーザ規定可能かつ設定可能な複数のパラメータを含み、複数の異なった電源をエミュレートする電源を提供することである。この電源を、再構成し、試験し、確認し、例えば、１時間以内に新たな機能的プロトタイプを提供することができる。これは、イオン浸透療法実験を行う科学者の大変貴重なツールを提供する。このような科学者は、新たなイオン浸透療法電源を開発するのに必要な時間を努力できないか、電源を設計または変更する個人的な要求をしないかもしれないため、これは、新たなイオン浸透療法電源をプロトタイプ化することに責任があるエンジニアおよび専門家の大変貴重なツールも提供する。
【０００５】
本発明の他の目的は、解析用コンピュータに伝送することができる動作パラメータに属するデータを周期的に収集することができる電源を提供することである。
【０００６】
これらおよび他の目的は、添付した明細書および請求項に照らして明らかになるであろう。
【０００７】
【課題を解決するための手段】
本発明は、イオン浸透療法電源を具える。前記電源は、ハードウェアおよびソフトウェアの双方を含む。前記ハードウェアは、外部出力装置とインタフェースする手段と、センサとインタフェースする手段と、マイクロプロセッシング手段と、コンピュータ読み出し可能媒体とを含む。ここで使用する用語“マイクロプロセッシング”は、電子状態機械処理を依然として意味する。前記マイクロプロセッシング手段を、マイクロプロセッサ、マイクロコントローラ、ＦＰＧＡ、ＡＳＩＣ等によって促進してもよい。ここで使用する用語“ソフトウェア”は、ソフトコード、ファームコード等のプログラムされた機械コード命令を意味する。前記ソフトウェアは、ユーザによる少なくとも１つの動作パラメータの供給を容易にするステップと、前記供給された動作パラメータをインタフェースされたイオン浸透療法電極アセンブリ装置に用いるステップとを実行することができる。
【０００８】
本発明の好適実施形態において、前記イオン浸透療法電極アセンブリ装置（または外部出力装置）インタフェース手段は、イオン浸透療法電極アセンブリ装置の対立する電極（すなわち、アノードおよびカソード）と関連付けられる１対の導線を具える。
【０００９】
本発明の他の好適実施形態において、前記少なくとも１つの動作パラメータは、電流制限と、定常状態電流の振幅と、電流極性と、ランプアップレートと、ランプダウンレートと、サイクル数と、シーケンス数とから成るグループから選択された少なくとも１つのパラメータを含む。
【００１０】
本発明の他の好適実施形態において、前記ソフトウェアは、さらに、前記供給された動作パラメータを前記外部出力端子に用いるステップ中に収集されたデータを格納するステップを実行する。本発明のこのような一好適実施形態において、前記ハードウェアは、さらに、外部通信装置と通信する手段を含む。前記ソフトウェアは、さらに、前記供給されたパラメータを用いるステップ中に収集された格納されたデータを外部通信装置に伝送するステップを実行する。
【００１１】
本発明の他のこのような好適実施形態において、前記ハードウェアは、さらに、少なくとも１つのセンサを含む。前記ソフトウェアは、さらに、前記供給された動作パラメータを外部通信装置に用いるステップ中に、前記センサに属するデータを記憶するステップをさらに実行する。
【００１２】
本発明の好適実施形態において、前記ハードウェアは、さらに、外部通信装置と通信する手段を含む。このような実施形態において、前記ユーザによる少なくとも１つの動作パラメータの入力を容易にするステップが、さらに、少なくとも１つの動作パラメータを外部通信装置から前記電源に前記通信手段によって伝送するステップを含む。
【００１３】
本発明の好適実施形態において、前記少なくとも１つの動作パラメータが、複数の動作パラメータを含む。
【００１４】
本発明は、さらに、イオン浸透電源をエミュレートし、イオン浸透療法治療を、イオン浸透療法電極アセンブリ装置を経て供給する方法を含む。前記方法は、少なくとも１つの動作パラメータを前記電源に供給するステップと、前記供給された動作パラメータを前記イオン浸透療法電極アセンブリ装置に用い、治療を実行するステップとを含む。
【００１５】
本発明の好適実施形態において、前記供給するステップが、さらに、電圧制限を与えるステップと、定常状態電流の振幅を与えるステップと、電流極性を与えるステップと、電流ランプアップレートを与えるステップと、電流ランプダウンレートを与えるステップと、サイクル数を与えるステップと、シーケンス数を与えるステップとのうちの少なくとも１つを含む。
【００１６】
本発明の他の好適実施形態において、前記供給するステップが、さらに、外部通信装置と通信するステップと、少なくとも１つの動作パラメータを前記外部通信装置から受けるステップとを含む。
【００１７】
本発明の依然として他の好適実施形態において、前記方法は、さらに、前記治療に属するデータを、前記電源に関係するディスプレイによってユーザに与えるステップをさらに含む。
【００１８】
本発明の依然として他の好適実施形態において、前記方法は、さらに、前記治療に属するデータを格納するステップを含む。１つのこのような実施形態において、前記方法は、さらに、外部通信装置と通信するステップと、格納されたデータを前記外部通信装置に伝送するステップとを含む。
【００１９】
好適には、前記方法は、少なくとも１つのセンサを前記電源に関係付けるステップと、前記少なくとも１つのセンサに属するデータを格納するステップとを含む。１つのこのような実施形態において、前記方法は、さらに、外部通信装置と通信するステップと、前記少なくとも１つのセンサに属する格納されたデータを前記外部通信装置に伝送するステップとを含む。
【００２０】
【発明の実施の形態】
本発明は多くの異なった形態における実施形態が可能であるが、本開示は、本発明の原理の例証とみなすべきであり、本発明を、示した実施形態に限定することを目的としないことの理解と共に、１つの特定の実施形態を、図面において示し、詳細に説明する。
【００２１】
ここで、図面、特に図１を参照し、再構成可能データロギングイオン浸透療法電源（以後、電源）を一般に１０において示す。電源１０を、ハードウェア１２と、ハードウェア１２において動作するソフトウェア１４として示す。前記電源は、種々の異なった形式のイオン浸透療法電極アセンブリ装置と関連して使用することを目的とする。電源１０を、他の種々の使用目的と、制御された身体分析抽出とに関係して同様に使用することもできることを理解されるであろう。
【００２２】
図１に示すようなハードウェア１２は、ハウジング２０と、電源２４と、情報をユーザに表示する手段２８と、ユーザによる入力を与える手段３２と、外部出力装置とインタフェースする手段３６と、外部通信を与える手段４０と、マイクロプロセッシング手段４４と、記憶手段４８（すなわち、コンピュータ読み出し可能媒体）とを含む。パーソナルコンピュータ、パーソナルデジタルアシスタントを含むがこれらに限定されない種々の異なった形式のハードウェアを使用することが考えられ、開示した実施形態は、特別に構成された単一目的装置を具える。
【００２３】
ユーザに容易な取り扱いおよび格納を促進しつつ、必要なコンポーネント類を保持するようにハウジング２０のサイズと形状とを決める。電源２４は、オペレータによって選択してもよい必要な範囲の電圧および電流を与えることができる種々の電源を具えてもよい。例えば、前記電源は、医療用とに好適な医療グレード絶縁ＡＣラインパワードアダプタを具えてもよい。他の実施形態において、（特にＡＡ、Ｃ、Ｄのような）バッテリを使用し、前記装置に追加の可搬性を与えることができる。前記バッテリを、ハウジング２０の内部または外部としてもよい。これらのような実施形態において、前記装置は、ローバッテリー警告を含み、前記バッテリを交換することが必要であることを示してもよい。前記バッテリが、ＡＣラインパワードアダプタによって充電することができる二次バッテリを具えてもよいことが考えられる。
【００２４】
１６文字を２行有するＬＣＤを具えるようなディスプレイ手段２８を図１に示す。このようなディスプレイは、表示に関するコストと表示の電力消費とを最小にしつつ、必要な情報を与える。与えられる情報は、瞬時または平均動作パラメータを含むことができる。もちろん、前記ディスプレイを、同様に他の情報を与えるように構成することができる。他の実施形態において、前記ディスプレイによってユーザにより多くの情報を与えることができる、より大きいサイズ（４ライン、ＱＶＧＡ、１６０×１６０等）と、より高い解像度（２ビットグレイスケール、４ビットグレイスケール、８ビットカラー、１６ビットカラー等）とを含むディスプレイを与えることができる。
【００２５】
前記ディスプレイの上側表面における複数の接触感知プッシュボタンを具えるようなユーザ入力手段３２を図１に示す。前記接触感知プッシュボタンのいくつかは、単一目的プッシュボタンを具え、前記接触感知プッシュボタンの他のものは、多目的プッシュボタンを具える。このようにして、必要なプッシュボタンの総量を最小にすることができる。いくつかの実施形態において、前記接触感知プッシュボタンを、キーボードプッシュボタン（すなわち、慣例的なキーボード）と交換するか、接触感知ディスプレイ上に表示された“ソフトウェア”プッシュボタン、一連のスイッチ等と交換することができることは理解されるであろう。代わりに、種々の形式のユーザ入力手段が、前記電源に所望の機能を実行させる能力をユーザに与える用途に関して考えられる。
【００２６】
イオン浸透療法電極アセンブリ装置の個々のアノードおよびカソードと関連させることができる導線の組５０を具えるような外部出力装置インタフェース手段３６を図１に示す。このような導線５０は、慣例的な２極ジャックのようなある形式のジャックを具えてもよい。他の実施形態において、前記導線は、端子、１対のワニ口クリップ等を具えてもよい。前記実施形態にかかわらず、導線５０は、前記電源と外部イオン浸透療法電極アセンブリ装置との間の接続を与える。他の実施形態において、追加の装置インタフェース手段３８を設け、例えば、種々のセンサとセンサ導線５９を経てインタフェースしてもよい。これは、以下の形式のセンサ、すなわち、温度、湿度、肌ｐＨ、界面電位等を含むことができる。これらの追加のセンサは、治療の実行中に種々の異なったパラメータに関するデータを与えることができる。
【００２７】
例えばパーソナルコンピュータと結合するように構成することができるデータポートを具えるような外部通信手段３０を図１に示す。図１に示す実施形態において、前記データポートは、絶縁されたＲＳ２３２シリアルポートを具える。他の実施形態において、前記データポートは、特に、パラレルポート、ＵＳＢポート、有線または無線８０２．１１通信、ブルートゥース通信、ＩＲＤＡを具えてもよい。代わりに、いくつかの実施形態において、前記外部通信手段は、複数のポートを具え、複数の異なった装置との結合を容易にしてもよい。説明するように、前記外部通信手段は、外部装置からのデータの伝送を容易にし、前記電源へ動作パラメータを伝送する。加えて、前記外部通信手段は、前記外部通信装置へのデータの伝送を容易にし、センサ、または、前記電源のデータ格納手段からの処理に属する格納されたデータを伝送する。
【００２８】
マイクロプロセッシング手段４４は、マイクロプロセッサまたはマイクロコントローラまたはカスタムＡＳＩＣまたは同様の集積回路コントローラと、ソフトウェア１４によって動作され、前記選択された動作パラメータにしたがって治療を実行し、前記データの伝送および処理を容易にすると共に調整することができる関連する回路網とを具えてもよい。特定の設計の前記マイクロプロセッシング手段を、本開示を有する当業者によって変更することができると共に決定することができる。加えて、記憶手段４８を、前記マイクロプロセッシング手段と関係付け、前記マイクロプロセッシング手段の管理において種々のデータを記憶することができる。記憶手段４８は、同様に、前記記憶手段から外部通信装置へのデータの伝送を容易にするように、外部通信手段４０とインタフェースすることができる。前記記憶手段は、特に、ＲＡＭや、ＳＣ、ＭＭＣ、ＳＭ、ＣＦのようなフラッシュメモリや、ハードドライブまたはフロッピー（登録商標）ドライブのような磁気ディスク媒体や、ＣＤ−Ｒ、ＣＤ−ＲＷ、ＤＶＤ−ＲＡＭのような光学ドライブを含むが、これらに限定されないコンピュータ読み出し可能媒体を具えてもよい。
【００２９】
ソフトウェアを、所望の機能性を前記装置に与え、所望の出力を、導線５０によって外部出力装置インタフェース手段３６に接続された外部出力装置（例えば、イオン浸透療法電極アセンブリ装置）に与えるように与える。ソフトウェア１４を、前記データ記憶手段に記憶することができ、または、他のコンピュータ読み出し可能媒体に記憶してもよく、ファームウェアとしてもよい。ソフトウェア１４は、前記電源に、以下のパラメータ、すなわち、電圧制限、定常状態電流の振幅、電流極性、ランプアップレート、ランプダウンレート、サイクル数、シーケンス数等を変化させるように命令することができる。加えて、ソフトウェア１４は、前記記憶手段に、前記電源から異なった出力が与えられた場合、前記外部装置の性能に関係するデータを格納するように命令することができる。次に、ソフトウェア１４は、ハードウェア１２の動作を、本発明の単独の電源を使用し、複数の異なった動作パラメータを有する無数の異なった電源をエミュレートすることができるように制御することができ、前記装置は、前記異なった動作パラメータに応じて前記装置の性能を記憶することができる。
【００３０】
治療に備えるために、ユーザは、所望のパラメータを前記装置に入力手段３２によって入力することができる。代わりに、ユーザは、所望のパラメータをパーソナルコンピュータまたは他の外部通信装置にプログラムすることができ、次に、前記所望のパラメータを前記電源に外部通信手段４０によって伝送することができる。ユーザは、多数の異なったプログラムおよびシーケンスの任意のものをプログラムすることができ、パラメータのどの特定の組にも限定されない。
【００３１】
例えば、一組のパラメータをプログラムし、ユタ州ソルトレイクシティのＩＯＭＥＤ社から利用可能なＰＭ８５０フォレサーのような慣例的に利用可能な電源をエミュレートすることができる。形成された前記パラメータの代表的な印刷出力を図２に示す。これらのようなパラメータは、４．０ミリアンペアの定常電流を使用する８０ミリアンペア−分薬物投与治療に関する単一シーケンス、単一サイクル治療を含む。このような治療を、一般に、最新型携帯用薬物投与イオン浸透療法電源と、デキサメタゾンナトリウムリン酸塩と共に、局所的炎症の位置特定非進入性治療に関して使用する．前記パラメータは、さらに、１秒あたり０．１３３ミリアンペアのランプアップレートと、１秒あたり０．２６７ミリアンペアのランプダウンレートとを含む。前記パラメータは、さらに、７０．０ボルトの電圧制限を規定する。ユーザは、加えて、データを前記データ記憶手段によって収集する所望の標本化レートを指定することができる。図２に示す例において、イオン浸透療法電流と合計装置出力電圧とを５．０秒ごとに標本化し、記憶する。無限の可変性により、ユーザは、前記パラメータの任意のものを望むように変えることができることを理解されるであろう。
【００３２】
図２のパラメータに関する治療のグラフィカル表現を図３に示す。特に、時間Ｔ１において、電流ランプアップを始める。時間Ｔ２において、ランプアップを完了する。電流ランプアップが完了したら、電流は、Ｔ３まで４．０ミリアンペアの定常状態において留まり、Ｔ３において、８０．０ミリアンペア−分の投薬が達成される。図２において与えたパラメータの構成に基づいて、Ｔ３にはＴ１ｎｏ２０．５分後に達する。最後に、電流はランプダウンし、Ｔ４においてゼロに達する。
【００３３】
他の例において、多サイクルおよび多シーケンス治療を示す。特に、このような治療を、手術後鎮痛薬投与システムに使用される中電圧小型集積イオン浸透療法電源と共に使用することができる。代表的なパラメータ構成印刷出力を図４に示す。このような例において、前記パラメータは、４サイクルと、前記４サイクルの２シーケンスとを規定する。前記システムは、どのような特定のサイクル数およびシーケンス数にも限定されず、このような限定は、一般に、前記データ記憶手段の記憶容量と、前記ソフトウェアのプログラミングとの関数であることを理解されるであろう。例えば、前記４サイクルの各サイクルにユニークな電流振幅と、ランプアップレートと、ランプダウンレートと、薬量と、標本化レートとを与える。説明した例において、前記パラメータは、前記電圧制限を３０ボルトに設定する。データ記憶に関して、前記標本化レートを、最初の３サイクルに関して１５．０秒、最終サイクルに関して６０．０秒に設定した。前記治療のグラフィカル表現を図５に示す。再び、上述した例からわかるように、複数の異なったパラメータを、ユーザによって治療前に設定することができ、前記システムは、パラメータのどのような特定の組にも、これらのようなパラメータの値のどのような特定の組にも限定されない。
【００３４】
上記で確認したように、前記電源ソフトウェアは、同様に、前記動作の特定の特徴を監視することができ、前記装置の動作中に集められたデータを格納することができる。このようなデータを、内部センサから収集することができ、これらのデータは、例えば、１サイクルにおける所定の時間におけるイオン浸透療法電流およびイオン浸透療法電圧を含む。追加の外部センサを使用してもよい。例えば、電圧プローブをイオン浸透療法回路における種々の位置において挿入し、前記イオン浸透療法回路の特定の経路に沿った電圧降下または抵抗に関係するデータを与えてもよい。他の例に関して、以下の形式のセンサ、すなわち、湿度、温度、肌ｐＨ等のセンサを使用することができる。これらの内部センサまたは外部センサから収集されたデータを、前記データ記憶手段によって記憶し、次に、外部通信手段４０によって解析用パーソナルコンピュータに伝送することができる。このような解析は、［１］イオン浸透療法装置および／またはイオン浸透療法電源を設計および実現する場合か、［２］一般的なイオン浸透療法研究を管理する場合に非常に価値がある。前記電源によって記憶されたデータの代表的な表示を図６において示す。
【００３５】
前述の装置がイオン浸透療法電源に関する開発および試験に非常に価値がある援助を与えることができることは理解されるであろう。新たなイオン浸透療法電源を計画、実現、組み立て、試験、検証および確認する時間は、年において測定することができる。例えば新たなプロトタイプまたは研究特定装置を発生するために、存在する電源を変更するのに必要な時間は、週または月をとることができる。そうではなく、異なったパラメータを、本発明の電源によって迅速に変化および試験し、特定の設計の実行可能性を決定することができ、変更を、本発明の電源の可変パラメータを変えることによってすぐに試みることができる。加えて、所定のパラメータを有する前記電源の動作に属するパラメータを記憶し、解析することができる。
【００３６】
上記記述は、本発明を単に説明し、本発明は、添付した請求項が制限する限りのことを除いてこれらに限定されず、本開示を有する当業者は、本発明の範囲から逸脱せずに変更を行うことができるであろう。
【図面の簡単な説明】
【図１】本発明の電源の斜視図である。
【図２】図１の電源の動作パラメータの特に好例なセッティングのサンプル表示の図である。
【図３】図２に示すパラメータを使用する電源の動作のグラフィカル表現の図である。
【図４】図１の電源の動作パラメータの他の特に好例なセッティングのサンプル表示の図である。
【図５】図４に示すパラメータを使用する電源の動作のグラフィカル表現の図である。
【図６】得られ、後の解析および再調査のためにデータ記憶手段に記憶されたデータのサンプル表示の図である。
【符号の説明】
１０　電源
１２　ハードウェア
１４　ソフトウェア
２０　ハウジング
２４　電源
２８　情報をユーザに表示する手段
３２　ユーザによる入力を与える手段
３６　外部出力装置とインタフェースする手段
４０　外部通信を与える手段
４４　マイクロプロセッシング手段
４８　記憶手段
【図１】
2004000535.tif 000003
【図２】
2004000535.tif 000004
【図３】
2004000535.tif 000005
【図４】
2004000535.tif 000006
【図５】
2004000535.tif 000007
【図６】
2004000535.tif 000008